(57)【要約】【課題】  小型化が可能で、低コスト化が図れ、過大な力が加わってつまみが破壊されたときでも、軸による人体への損傷の虞の少ない回転形電気部品を提供する。【解決手段】  収納部１ａを有する固定部材１と、固定部材１の収納部１ａに配設される回転部材２と、回転部材２に一端側が係合され、回転部材２の回転操作を行う操作軸３と、固定部材１に一体的に設けられ、操作軸３の他端側が外方へ突出されると共に、操作軸３を回転可能に保持する軸受部材４と、固定部材１に収納され、回転部材２の回転に伴って電気信号を出力する信号検出手段５、７とを備え、操作軸３には、軸受部材４の外方へ突出した根元部近傍に、細軸状となる溝部３ｅを形成した。【選択図】        図１
2007067333.tif 000002
【特許請求の範囲】
【請求項１】
収納部を有する固定部材と、この固定部材の収納部に配設される回転部材と、この回転部材に一端側が係合され、該回転部材の回転操作を行う操作軸と、前記固定部材に一体的に設けられ、前記操作軸の他端側が外方へ突出されると共に、前記操作軸を回転可能に保持する軸受部材と、前記固定部材に収納され、前記回転部材の回転に伴って電気信号を出力する信号検出手段とを備え、前記操作軸には、前記軸受部材の外方へ突出した根元部近傍に、細軸状となる溝部を形成したことを特徴とする回転型電気部品。
【請求項２】
前記溝部は、前記操作軸の周方向へ連続して環状に設けたことを特徴とする請求項１記載の回転型電気部品。
【請求項３】
前記操作軸は、金属材料からなり、前記軸受部材の先端と前記溝部との間には、前記操作軸が前記軸受部材の内部に入り込むのを規制する規制部材を取り付けたことを特徴とする請求項１、又は２記載の回転型電気部品。
【請求項４】
前記操作軸は、前記回転部材に係合される一端側に設けられた第１の軸体と、この第１の軸体と係合手段により係合され、前記軸受部材の外方へ突出される他端側に設けられた第２の軸体とからなり、前記第２の軸体を前記第１の軸体よりも柔らかい材料で形成し、前記第２の軸体に前記溝部を形成したことを特徴とする請求項１、又は２記載の回転型電気部品。
【請求項５】
前記第１の軸体を亜鉛ダイキャストで構成し、該第１の軸体にクリック用凹凸部を有する鍔部を設けると共に、前記第２の軸体をアルミニウムで構成したことを特徴とする請求項４記載の回転型電気部品。
【請求項６】
前記第２の軸体の前記溝部には、前記操作軸が前記軸受部材の内部に入り込むのを規制する規制部材が取り付けられていることを特徴とする請求項４、又は５記載の回転型電気部品。
【請求項７】
前記係合手段は、前記第２の軸体に設けられたスナップ脚と、このスナップ脚がスナップ止めされる前記第１の軸体に設けられた取付部とから構成したことを特徴とする請求項４乃至６の何れかに記載の回転型電気部品。
【請求項８】
前記軸受部材には筒状部が設けられており、前記係合手段で係合された前記第１の軸体と前記第２の軸体のそれぞれの一部が前記筒状部に一体的に挿通されていることを特徴とする請求項７記載の回転型電気部品。
【請求項９】
前記操作軸は、中央部に貫通孔を有する貫通軸からなることを特徴とする請求項１乃至８の何れかに記載の回転型電気部品。
【発明の詳細な説明】
【技術分野】
【０００１】
本発明は、音響機器等に使用され、操作つまみにより回転操作されて音量等の調整を行うエンコーダや可変抵抗器などの回転型電気部品に関する。
【背景技術】
【０００２】
従来の回転型電気部品の構造としては、操作体が、受け部材と、つまみ部と、両者の間に配設された弾性部材とにより構成されており、つまみ部に、過大な力が加わると、弾性部材が圧縮されて、つまみ部が受け部材に入り込むことにより、つまみ部の筺体からの突出量を少なくする構成のものが知られている（例えば、特許文献１参照）。
【０００３】
この従来の回転型電気部品の構造を図７、図８に示す。図７は従来の回転型電気部品の使用状態を示す説明図、図８は従来の回転型電気部品の動作状態を示す説明図である。
【０００４】
図において、本体部５１は、略箱形の筐体部５１ａと、筐体部５１ａから外方に突出し、略円筒状の軸受け部５１ｂと、筐体部５１ａから外方に突出する複数本の端子５１ｃとを有している。また、筐体部５１ａの一方の端部側内には、図示しない抵抗体やコモン電極や基板などから成る回転型の可変抵抗器５１ｄが配置され、他方の端部内には、図示しない固定接点や可動接点などから成るプッシュスイッチ５１ｅが配置されている。
【０００５】
操作軸５２は、軸受け部５１ｂに挿通され、且つ軸受け部５１ｂから軸受け部５１ｂと同軸状に外方に突出する略円柱状の軸部５３と、軸部５３の一方の端部が挿通され、該軸部５３と一体化された受け部材５４とを有する。この操作軸５２の軸部５３の他方の端部は、軸受け部５１ｂに挿通された状態で、前記可変抵抗器５１ｄと前記プッシュスイッチ５１ｅとを操作することが出来るように筐体部５１ａ内に配置されている。
【０００６】
また、軸部５３は、略円柱状の細径部５３ａと、細径部５３ａより太い径の太径部５３ｂと、太径部５３ｂの先端側に形成され、断面が略半円状の半円柱状部５３ｃとを有し、細径部５３ａが前記軸受け部５１ｂに挿通され、細径部５３ａの先端部は筐体部５１ａ内に配置されている。
また、受け部材５４は、略角柱状の基部５４ａと、基部５４ａの一方の端部から前記軸部５３の軸線方向に設けられた穴部５４ｂと、基部５４ａの一方の端部側で、前記軸部５３の軸線に直交する平面を備えた略円板状の保持部５４ｃと、該保持部５４ｃに複数個の矩形の孔５４ｄとを備えている。
【０００７】
つまみ部５５は、円弧状の表面壁５５ｃと表面壁５５ｃの周囲から表面壁５５ｃに対して略直交して延設された側壁５５ｄと表面壁５５ｃと対向する位置に設けられた略円環状の裏面壁５５ｅとを有し、裏面壁５５ｅの中央部には、略矩形の凹部５５ｆが形成された略円筒状の操作部５５ａと、操作部５５ａの裏面壁５５ｅから外方に突出する一対の係止部５５ｂとを有する。また、一対の係止部５５ｂは、前記裏面壁５５ｅから外方に突出されており、一対の係止部５５ｂの自由端には、スナップインによる係止をさせるための凸部５５ｇが形成されている。
【０００８】
弾性部材５６は、金属製のコイルばねで構成されている。
そして、前記つまみ部５５と弾性部材５６と受け部材５４とは、先ず、受け部材５４の基部５４ａに弾性部材５６が挿通され、基部５４ａがつまみ部５５の凹部５５ｆ内に収納される。この時、一対の係止部５５ｂの凸部５５ｇは、保持部５４ｃの孔５４ｄにスナップイン結合される。そして、この弾性部材５６は、つまみ部５５を軸線の前方（矢印Ｃ方向）に押し出すように所定の付勢力にて付勢している。そして、この所定の付勢力は、前述のプッシュスイッチ５１ｅをプッシュ操作するための所定の押圧力に比較して、強い力であるように構成されている。よって、つまみ部５５は、弾性部材５６の弾性に抗しながら受け部材５４の軸線方向（矢印Ｂ、及びＣ方向）に移動できるように構成されている。
【０００９】
図に示すように、この電気部品６０は、例えば、カーステレオ装置などの音響機器の筐体６５内に、プリント配線基板６６に電気的接続された状態で配置されている。この状態では、該筐体６５のパネル６５ａからほぼ前記つまみ部５５のみが外方に突出した状態で配置されている。
この状態での電気部品６０の通常の動作は、パネル６５ａから突出したつまみ部５５を押圧することにより、プッシュスイッチ５１ｅの自動復帰力に抗するつまみ部５５の移動によって動作が行われる。このとき、つまみ部５５は、常にパネル６５ａから外方に突出した状態で配置されている。
【００１０】
次に、図８に示すように、この構成の音響機器では、音響機器の筐体６５のパネル６５ａ面側から何かがぶつかったときなどには、前記つまみ部５５に過大な押圧力が加えられ、つまみ部５５は、過大な押圧力によって受け部材５４に対して更に、軸線方向に押圧され、筐体６５のパネル６５ａ内に収納（引っ込む）される。この状態では、つまみ部５５には押圧力は加わらず、この過大な押圧力の一部は、パネル６５ａが確実に受けることになり、よって、電気部品の破損の防止が一層確実に行われることになる。
【００１１】
【特許文献１】特開２００１-３５２９９号公報
【発明の開示】
【発明が解決しようとする課題】
【００１２】
しかしながら、従来の回転型電気部品の構造においては、操作体の構造が複雑で、つまみ部に受け部材が入り込むスペースが必要なため、大型となり、コストも高くなるという問題があった。また、斜め方向からの衝撃荷重に対しては対応できないという問題があった。
【００１３】
従って、本発明は上記した問題点を解決し、小型化が可能で、低コスト化が図れ、過大な力が加わってつまみが破壊されたときでも、軸による人体への損傷の虞の少ない回転形電気部品を提供することを目的とする。
【課題を解決するための手段】
【００１４】
上記課題を解決するために本発明では第１の解決手段として、収納部を有する固定部材と、この固定部材の収納部に配設される回転部材と、この回転部材に一端側が係合され、該回転部材の回転操作を行う操作軸と、前記固定部材に一体的に設けられ、前記操作軸の他端側が外方へ突出されると共に、前記操作軸を回転可能に保持する軸受部材と、前記固定部材に収納され、前記回転部材の回転に伴って電気信号を出力する信号検出手段とを備え、前記操作軸には、前記軸受部材の外方へ突出した根元部近傍に、細軸状となる溝部を形成した構成とした。
また、第２の解決手段として、前記溝部は、前記操作軸の周方向へ連続して環状に設けた構成とした。
【００１５】
また、第３の解決手段として、前記操作軸は、金属材料からなり、前記軸受部材の先端と前記溝部との間には、前記操作軸が前記軸受部材の内部に入り込むのを規制する規制部材を取り付けた構成とした。
また、第４の解決手段として、前記操作軸は、前記回転部材に係合される一端側に設けられた第１の軸体と、この第１の軸体と係合手段により係合され、前記軸受部材の外方へ突出される他端側に設けられた第２の軸体とからなり、前記第２の軸体を前記第１の軸体よりも柔らかい材料で形成し、前記第２の軸体に前記溝部を形成した構成とした。
また、第５の解決手段として、前記第１の軸体を亜鉛ダイキャストで構成し、該第１の軸体にクリック用凹凸部を有する鍔部を設けると共に、前記第２の軸体をアルミニウムで構成した。
【００１６】
また、第６の解決手段として、前記第２の軸体の前記溝部には、前記操作軸が前記軸受部材の内部に入り込むのを規制する規制部材が取り付けられている構成とした。
また、第７の解決手段として、前記係合手段は、前記第２の軸体に設けられたスナップ脚と、このスナップ脚がスナップ止めされる前記第１の軸体に設けられた取付部とから構成した。
また、第８の解決手段として、前記軸受部材には筒状部が設けられており、前記係合手段で係合された前記第１の軸体と前記第２の軸体のそれぞれの一部が前記筒状部に一体的に挿通されている構成とした。
また、第９の解決手段として、前記操作軸は、中央部に貫通孔を有する貫通軸からなる構成とした。
【発明の効果】
【００１７】
上述したように、本発明の回転型電気部品は、収納部を有する固定部材と、固定部材の収納部に配設される回転部材と、回転部材に一端側が係合され、回転部材の回転操作を行う操作軸と、固定部材に一体的に設けられ、操作軸の他端側が外方へ突出されると共に、操作軸を回転可能に保持する軸受部材と、固定部材に収納され、回転部材の回転に伴って電気信号を出力する信号検出手段とを備え、操作軸には、軸受部材の外方へ突出した根元部近傍に、細軸状となる溝部を形成したことから、操作軸の先端に取り付けられた操作つまみに過大な力が加わり、操作つまみが破壊されたとしても、操作軸も溝部により折れたり、曲がったりするため、パネルから突出した操作軸により人体への損傷を及ぼしにくくすることができる。
また、溝部は、操作軸の周方向へ連続して環状に設けたことから、操作軸をより確実に折れるようにすることができる。
【００１８】
また、操作軸は、金属材料からなり、軸受部材の先端と溝部との間には、操作軸が軸受部材の内部に入り込むのを規制する規制部材を取り付けたことから、操作つまみに過大な力が加わった場合に、操作軸と規制部材との取り付け位置を支点として、操作軸を溝部から折れ易くすることができる。
また、操作軸は、回転部材に係合される一端側に設けられた第１の軸体と、第１の軸体と係合手段により係合され、軸受部材の外方へ突出される他端側に設けられた第２の軸体とからなり、第２の軸体を第１の軸体よりも柔らかい材料で形成し、第２の軸体に溝部を形成したことから、操作つまみに過大な力が加えられ、操作つまみが破壊されたとしても、柔らかい材料からなる第２の軸体を曲がり易くすることができる。
また、第１の軸体を亜鉛ダイキャストで構成し、第１の軸体にクリック用凹凸部を有する鍔部を設けると共に、第２の軸体をアルミニウムで構成したことから、第２の軸体が柔らかいアルミニウムで構成されているので、過大な荷重で確実に第２の軸体を曲げることができると共に、第１の軸体が比較的硬い亜鉛ダイキャストで構成されているので、複雑なクリック用凹凸部を容易に形成でき、操作軸を回転させた時に良好なクリック感触が得られる。
【００１９】
また、第２の軸体の溝部には、操作軸が軸受部材の内部に入り込むのを規制する規制部材が取り付けられていることから、第２の軸体を曲がり易くするために設けた溝部を利用して、規制部材を取り付けることができ、別途溝部を設ける必要がないため、操作軸の長さ寸法を短くすることができる。
また、係合手段は、第２の軸体に設けられたスナップ脚と、スナップ脚がスナップ止めされる第１の軸体に設けられた取付部とから構成したことから、第１の軸体と第２の軸体をスナップ止めにより容易に一体化できるので、組み立ての作業性を良好なものにでき、また、柔らかい材料からなる第２の軸体側にスナップ脚を設けたので、両軸体のスナップ止めをより確実なものとすることができる。
また、軸受部材には筒状部が設けられており、係合手段で係合された第１の軸体と第２の軸体のそれぞれの一部が筒状部に一体的に挿通されていることから、筒状部により第１と第２の軸体の係合をより確実なものとすることができ、第２の軸体が筒状部に挿通されているので、過大な荷重が加わった時に、第２の軸体をより曲がり易くすることができる。
また、操作軸は、中央部に貫通孔を有する貫通軸からなることから、操作軸が中空のため操作軸を容易に折ることができる。また、貫通軸の中空部を通して光を操作つまみに導光できるので、照光タイプにも対応が可能となる。
【発明を実施するための最良の形態】
【００２０】
以下、本発明の実施の形態を図１乃至図６に示す。図１は本発明の回転型電気部品を示す断面図、図２は本発明の回転型電気部品の操作軸を示す断面図、図３は本発明の回転型電気部品に操作つまみを装着しパネルに取り付けた使用状態を示す説明図、図４は本発明の回転型電気部品の他の実施例を示す断面図、図５は本発明の回転型電気部品の他の実施例である操作軸を構成する第１の軸体を示す断面図、図６は同じく本発明の回転型電気部品の他の実施例である操作軸を構成する第２の軸体を示す断面図である。
【００２１】
図１、２において、本発明の回転型電気部品は、収納部１ａを有する固定部材１と、この固定部材１の収納部１ａに配設される回転部材２と、この回転部材２に一端側が係合され、この回転部材２の回転操作を行う操作軸３と、固定部材１に取り付けられ、操作軸３の他端側が外方へ突出されると共に、操作軸３を回転可能に保持する軸受部材４と、固定部材１に収納され、回転部材２の回転に伴って電気信号を出力する信号検出手段とから主に構成されている。
【００２２】
固定部材１は、合成樹脂等の絶縁材からなり、略矩形状に形成され、一面側には円形状の開口からなる収納部１ａが設けられている。この収納部１ａの内底部には、フェノール樹脂などの積層板からなり、表面側にカーボンあるいは銀などにより図示しない抵抗パターンあるいは導電パターンなどが設けられた絶縁基板５が、インサート成形等の方法により一体に埋設されている。
【００２３】
また、絶縁基板５の一端縁には、抵抗パターンあるいは導電パターンに接続され、外部へ導出する導電性の金属板からなる接続端子６が固着されており、この接続端子６が固定部材１の一側面から突出すると共に、一側面に沿って９０度折り曲げられて配設されている。また、絶縁基板５の中央には、回転部材２及び操作軸３の一部が挿通され、回転可能に保持される挿通孔５ａが設けられている。
【００２４】
固定部材１の収納部１ａには、合成樹脂等の絶縁材からなり、略円板状の回転部材２が配設されている。この回転部材２は、平板状の基台部２ａと、この基台部２ａから一方側に突出した円筒部２ｂとを有し、この円筒部２ｂが絶縁基板５の挿通孔５ａに回転可能に挿通されている。また、基台部２ａには、導電性の薄板金属板からなる摺動子７が、カシメ等の方法で固着されており、摺動子７の自由端の接触子７ａが、絶縁基板５の抵抗パターンあるいは導電パターンと摺接するものとなっている。
【００２５】
また、基台部２ａと円筒部２ｂの中央には、貫通状の嵌合孔２ｃが設けられ、この嵌合孔２ｃに操作軸３の一端側が係合されて、回転部材２が回転操作されるものとなっている。そして、この回転操作に伴い、摺動子７の接触子７ａが抵抗パターンあるいは導電パターンと摺接することにより、所望の電気信号が出力されるものとなっている。この抵抗パターンあるいは導電パターンが形成された絶縁基板５と、抵抗パターンあるいは導電パターン上を相対的に移動する摺動子７とで信号検出手段が構成されている。
【００２６】
操作軸３は、例えば亜鉛ダイキャスト等により形成されており、平板状の鍔部３ａと、軸受部材４に回転可能に軸支される軸部３ｂと、この軸部３ｂの先端側に延設されたつまみ取付部３ｃと、鍔部３ａの一端側（下面側）に突出して設けられた嵌合突部３ｄとを有している。この嵌合突部３ｄが回転部材２の嵌合孔２ｃに係合されて、操作軸３の回転操作に伴い、回転部材２が回転操作されるものとなっている。
【００２７】
また、鍔部３ａの他端側（上面側）には、図示しない環状で複数の凹凸状のカム山が設けられており、このカム山に軸受部材４に固着された弾性を有する金属板からなるクリックばね８が摺動することで、操作軸３の回転操作時のクリック感触が得られるものとなっている。
【００２８】
また、操作軸３の軸部３ｂには、軸受部材４の外方へ突出した根元部近傍に、溝部３ｅが形成されている。この溝部３ｅは、軸部３ｂの周方向へ連続して環状に設けられており、環状に設けることにより、その残部が細径となる細軸状に形成されている。また、この溝部３ｅと軸受部材４の先端との間には、操作軸３が軸受部材４の内部に入り込むのを規制するＥリング等の規制部材９が取り付けられている。また、操作軸３の中央には、軸線方向に沿って、つまみ取付部３ｃから嵌合突部３ｄに渡って貫通する長尺状の貫通孔３ｆが設けられている。
【００２９】
軸受部材４は、合成樹脂等の絶縁材あるいは金属のダイキャスト等で形成されており、矩形状の基部４ａと、この基部４ａから突出して設けられ、やや長めの筒状部４ｂとを有している。また、基部４ａには、略円形状の収容凹部４ｃが設けられており、この収容凹部４ｃの底面にはクリックばね８が固着されている。この収容凹部４ｃに、操作軸３の鍔部３ａが収容され、鍔部３ａの上面側に設けられた、図示しない複数の凹凸状のカム山が、クリックばね８と対向して配設されている。
【００３０】
また、筒状部４ｂには、操作軸３の軸部３ｂが挿入されて、操作軸３が軸受部材４に回転可能に軸支されている。このとき、軸部３ｂと軸受部材４の先端との間には、Ｅリング等の規制部材９が取り付けられており、操作軸３が軸受部材４の内部に入り込むのを防止している。この軸受部材４は、収容凹部４ｃを固定部材１の収納部１ａに対向させて固定部材１と一体的に積層されており、収納部１ａと収容凹部４ｃとで形成される空間部に、クリックばね８と摺動するカム山を有する操作軸３の鍔部３ａと、絶縁基板５上を摺動する摺動子７が固着された回転部材２の基台部２ａとが回転可能に収容されている。
【００３１】
また、固定部材１の後方には、発光素子１１を収納する空間部を有するガイド部材１０が設けられている。このガイド部材１０は、合成樹脂等の絶縁材からなり、矩形状に形成され、その中央にはやや大きめの丸孔１０ａが形成されている。
また、軸受部材４、固定部材１、ガイド部材１０は、金属板を打ち抜き折り曲げて形成された、取付部材１２によって積層された状態で一体的に係合されている。
【００３２】
この場合、固定部材１の後方に、一体的に係合されたガイド部材１０は、丸孔１０ａが、固定部材１に埋設された絶縁基板５の挿通孔５ａに対応した位置に設けられている。また、挿通孔５ａに、回転体２の円筒部２ｂと共に挿通される操作軸３の嵌合突部３ｄの貫通孔３ｆに対応して、この丸孔１０ａ内に発光素子１１が配置されている。
【００３３】
この場合、発光素子１１は、回転型電気部品が実装される電気機器等の配線基板１３上に別途取り付けられるものとなっており、発光素子１１から照射された光は、ガイド部材１０でガイドされることにより外部へ漏れることなく、操作軸３の中央に設けられた貫通孔３ｆを通して、効率良く、つまみ取付部３ｃの先端まで導光されるものとなっている。
このように、操作軸３の貫通孔３ｆを通して光を操作つまみ１４に導光できるので、照光タイプにも対応が可能となっている。
【００３４】
図３は、回転型電気部品に操作つまみ１４を装着して、電気機器等のパネル１５に取り付けた使用状態を示す説明図である。
この場合、図示はしないが、回転型電気部品は、電気機器等の配線基板に実装されるものとなり、固定部材１の一側面から突出した接続端子６と、ガイド部材１０の底面側に突出して設けられた複数のボス１０ｂと、取付部材１２に設けられた一対の脚部１２ａとで位置決め、半田付けして固着されて取り付けられるものとなっている。また、操作軸３のつまみ取付部３ｃに装着される操作つまみ１４は、操作軸３の軸部３ｂに設けられた、細軸状の溝部３ｅから上方の位置に取付られている。
【００３５】
このように、上記実施例では、操作軸３の軸部３ｂには、軸受部材４の外方へ突出した根元部近傍に、周方向に連続した環状の溝部３ｅが形成されており、その残部が細径となる細軸状に形成されていることから、操作軸３の先端に取り付けられた操作つまみ１４に過大な力が加わり、操作つまみ１４が破壊されたとしても、溝部３ｅにより、操作軸３をより確実に折れるようにすることができるので、操作軸３も溝部３ｅにより折れたり、曲がったりするため、パネル１５から突出した操作軸３により人体への損傷を及ぼしにくくすることができるものとなっている。
【００３６】
また、操作軸３の、軸受部材４の先端と溝部３ｂとの間には、操作軸３が軸受部材４の内部に入り込むのを規制するためのＥリング等からなる規制部材９が取り付けられているので、操作つまみ１４に過大な力が加わった場合には、操作軸３と規制部材９との取り付け位置を支点として、操作軸３を溝部３ｅから折れ易くすることができるものとなっている。
また、操作軸３は、中央部に貫通孔３ｆを有する貫通軸からなることから、操作軸３が中空のため操作軸３を容易に折ることが可能となっている。
【００３７】
このように、操作軸３に破壊可能な溝部３ｅを形成し、操作つまみ１４に、過大な荷重が加わった際には、この溝部３ｅから操作軸３が破壊し、操作軸３が回転動作ができない状態（製品破壊状態）となるように構成したことにより、ヨーロッパなどでの車載用電気機器の安全規格となる内突規制に対応することが可能になっている。
【００３８】
そして、操作軸３に過大な押圧力が加えられた時には、操作軸３が溝部３ｅから破壊して、操作軸３の回転を阻止するので、操作軸３に取り付ける操作つまみ１４などの操作体を複雑な構造とする必要が無く、小型化が可能で、且つ低コスト化が可能な、車載用電気機器の安全規格である内突規制に対応した回転型電気部品を提供できるものとなっている。
【００３９】
図４乃至図６は、本発明の回転型電気部品の他の実施例を示している。この場合、図１乃至図３で説明した上記実施例の構成と相違する点は、操作軸の構成が一部相違している点である。尚、図１乃至図３で説明した上記実施例と同一の部品については、同一の符号を付してその説明を省略する。
【００４０】
図において、操作軸１８は、回転部材２に係合される一端側に設けられた第１の軸体１６と、この第１の軸体１６と係合手段により係合されて、軸受部材４の外方へ突出される他端側に設けられた第２の軸体１７とから構成されている。
【００４１】
第１の軸体１６は、亜鉛ダイキャスト等の比較的硬い金属材で形成されており、平板状の鍔部１６ａと、第２の軸体１７と係合する突状の取付部１６ｃを有し、軸受部材４に回転可能に軸支される第１軸部１６ｂと、鍔部１６ａの一端側（下面側）に突出して設けられた嵌合突部１６ｄとを有している。この嵌合突部１６ｄが回転部材２の嵌合孔２ｃに係合されて、操作軸１８の回転操作に伴い、回転部材２が回転操作されるものとなっている。
【００４２】
また、鍔部１６ａの他端側（上面側）には、図示しない環状で複数の凹凸状のカム山が設けられており、このカム山に軸受部材４に固着された弾性を有する金属板からなるクリックばね８が摺動することで、操作軸１８の回転操作時のクリック感触が得られるものとなっている。
また、第１の軸体１６の中央には、軸線方向に沿って、貫通する貫通孔１６ｅが設けられている。
【００４３】
第２の軸体１７は、第１の軸体よりも柔らかい材料からなるアルミニウム等で形成されており、第１の軸体１６の取付部１６ｃに係合される一対のスナップ脚１７ｂを有し、軸受部材４に回転可能に軸支される第２軸部１７ａと、この第２軸部１７ａの先端側に延設されたつまみ取付部１７ｃとを有している。この第２の軸体１７のスナップ脚１７ｂと、このスナップ脚１７ｂがスナップ止めされる第１の軸体１６に設けられた取付部１６ｃとで係合手段が構成されている。
【００４４】
このように、係合手段を、第２の軸体１７に設けられた一対のスナップ脚１７ｂと、このスナップ脚１７ｂがスナップ止めされる第１の軸体１６に設けられた取付部１６ｃとから構成したことから、第１の軸体１６と第２の軸体１７をスナップ止めにより容易に一体化できるので、組み立ての作業性を良好なものにすることができる。また、アルミニウム等の柔らかい材料からなる第２の軸体１７側にスナップ脚１７ｂを設けたので、両軸体のスナップ止めをより確実なものとすることができる。
【００４５】
また、第２の軸体１７の第２軸部１７ａには、軸受部材４の外方へ突出した根元部近傍に、溝部１７ｄが形成されている。この溝部１７ｄは、第２軸部１７ａの周方向へ連続して環状に設けられており、環状に設けることにより、その残部が細径となる細軸状に形成されている。また、この溝部１７ｄには、第２の軸体１７が軸受部材４の内部に入り込むのを規制するＥリング等の規制部材９が取り付けられている。このように、第２の軸体１７を曲がり易くするために設けた溝部１７ｄを利用して、規制部材９を取り付けることにより、別途溝部を設ける必要がなく、操作軸１８の長さ寸法を短くすることができる。
【００４６】
また、第２の軸体１７の中央には、軸線方向に沿って、つまみ取付部１７ｃからスナップ脚１７ｂに渡って貫通する長尺状の貫通孔１７ｅが設けられている。そして、第１の軸体１６と第２の軸体１７とが係合手段により一体に係合されたときには、第２の軸体１７のつまみ取付部１７ｃの先端から、第１の軸体１６の嵌合突部１６ｄの末端に渡って、貫通孔１７ｅと１６ｅが連結することにより、操作軸１８に連続した貫通孔１８ｅが形成されるものとなる。
【００４７】
また、操作軸１８は、係合手段でそれぞれが一体に係合されて、第１の軸体１６の第１軸部１６ｂと、第２の軸体１７の第２軸部１７ａとのそれぞれの一部が、軸受部材４の筒状部４ｂに一体的に挿通されており、操作軸１８（第２の軸体１７のつまみ取付部１７ｃ）が回転操作されることにより、軸受部材４に対して一体的に回転可能に取り付けられている。
【００４８】
このように、軸受部材４の筒状部４ｂに、係合手段で係合された第１の軸体１６と第２の軸体１７のそれぞれの一部が一体的に挿通されていることから、筒状部４ｂにより第１と第２の軸体１６、１７の係合をより確実なものとすることができ、第２の軸体１７が筒状部４ｂに挿通されているので、過大な荷重が加わった時に、第２の軸体をより曲がり易くすることができるものとなっている。
【００４９】
上記した本実施例の構成によれば、操作軸１８は、回転部材２に係合される一端側に設けられた第１の軸体１６と、第１の軸体１６と係合手段により係合され、軸受部材４の外方へ突出される他端側に設けられた第２の軸体１７とからなり、第２の軸体１７を、亜鉛ダイキャストからなる第１の軸体１６よりも柔らかい材料のアルミニウムで形成し、この第２の軸体１７に溝部１７ｄを形成したので、操作つまみ１４に過大な力が加えられ、操作つまみ１４が破壊されたとしても、柔らかい材料からなる第２の軸体１７を曲がり易くすることができる。
【００５０】
また、第１の軸体１６を亜鉛ダイキャストで構成し、第１の軸体１６にクリック用凹凸部を有する鍔部１６ａを設けると共に、第２の軸体１７をアルミニウムで構成したことから、第２の軸体１７が柔らかいアルミニウムで構成されているので、過大な荷重で確実に第２の軸体１７を曲げることができると共に、第１の軸体１６が比較的硬い亜鉛ダイキャストで構成されているので、複雑なクリック用凹凸部を容易に形成でき、操作軸１８を回転させた時に良好なクリック感触が得られるものとなっている。
【図面の簡単な説明】
【００５１】
【図１】本発明の回転型電気部品を示す断面図である。
【図２】本発明の回転型電気部品の操作軸を示す断面図である。
【図３】本発明の回転型電気部品に操作つまみを装着しパネルに取り付けた使用状態を示す説明図である。
【図４】本発明の回転型電気部品の他の実施例を示す断面図である。
【図５】本発明の回転型電気部品の他の実施例である操作軸を構成する第１の軸体を示す断面図である。
【図６】本発明の回転型電気部品の他の実施例である操作軸を構成する第２の軸体を示す断面図である。
【図７】従来の回転型電気部品の使用状態を示す説明図である。
【図８】従来の回転型電気部品の動作状態を示す説明図である。
【符号の説明】
【００５２】
１：固定部材
１ａ：収納部
２：回転部材
２ａ：基台部
２ｂ：円筒部
２ｃ：嵌合孔
３：操作軸
３ａ：鍔部
３ｂ：軸部
３ｃ：つまみ取付部
３ｄ：嵌合突部
３ｅ：溝部
３ｆ：貫通孔
４：軸受部材
４ａ：基部
４ｂ：筒状部
４ｃ：収容凹部
５：絶縁基板（信号検出手段）
５ａ：挿通孔
６：接続端子
７：摺動子（信号検出手段）
７ａ：接触子
８：クリックばね
９：規制部材（Ｅリング）
１０：ガイド部材
１０ａ：丸孔
１０ｂ：ボス
１１：発光素子
１２：取付部材
１２ａ：脚部
１３：配線基板
１４：操作つまみ
１５：パネル
１６：第１の軸体
１６ａ：鍔部
１６ｂ：第１軸部
１６ｃ：取付部（係合手段）
１６ｄ：嵌合突部
１６ｅ：貫通孔
１７：第２の軸体
１７ａ：第２軸部
１７ｂ：スナップ脚（係合手段）
１７ｃ：つまみ取付部
１７ｄ：溝部
１７ｅ：貫通孔
１８：操作軸
１８ｅ：貫通孔
【図１】
2007067333.tif 000003
【図２】
2007067333.tif 000004
【図３】
2007067333.tif 000005
【図４】
2007067333.tif 000006
【図５】
2007067333.tif 000007
【図６】
2007067333.tif 000008
【図７】
2007067333.tif 000009
【図８】
2007067333.tif 000010